(57)【要約】【課題】  べたつき感が無く、手に付着したローションを水で簡単に洗い流すことができるローション付きトイレットペーパーを提供する。【解決手段】  原料パルプからなる紙基材に、脂肪酸エステル系界面活性剤、乳化剤、流動パラフィン、スクワランオイルを主成分とした水溶性のローションが塗布する。【選択図】なし【特許請求の範囲】
【請求項１】
原料パルプからなる紙基材に、脂肪酸エステル系界面活性剤、乳化剤、流動パラフィン、スクワランオイルを主成分とした水溶性のローションが塗布されていることを特徴とするローション付きトイレットペーパー。
【請求項２】
請求項１に記載のローション付きトイレットペーパーであって、
前記ローションの塗布量が、前記紙基材の重量の１０〜８０％であることを特徴とするローション付きトイレットペーパー。
【請求項３】
請求項１又は２に記載のローション付きトイレットペーパーであって、
前記紙基材の坪量が、１２〜２５ｇ／ｍ２であることを特徴とするローション付きトイレットペーパー。
【請求項４】
請求項１〜３の何れか一項に記載のローション付きトイレットペーパーであって、
表面の摩擦係数の平均偏差（ＭＭＤ値）が、７．０〜１２．０であることを特徴とするローション付きトイレットペーパー。
【請求項５】
請求項１〜４の何れか一項に記載のローション付きトイレットペーパーであって、
長手方向の乾燥引張強度が２〜４Ｎであり、且つ、短手方向の乾燥引張強度が０．５〜１．５Ｎであることを特徴とするローション付きトイレットペーパー。
【請求項６】
請求項１〜５の何れか一項に記載のローション付きトイレットペーパーを製造するためのローション付きトイレットペーパー製造方法であって、
前記ローションを、グラビア印刷又はフレキソ印刷の方法を用いて前記紙基材に塗布することを特徴とするローション付きトイレットペーパー製造方法。
【請求項７】
請求項１〜５の何れか一項に記載のローション付きトイレットペーパーを製造するためのローション付きトイレットペーパー製造方法であって、
前記ローションを、グラビア印刷の方法を用いて前記紙基材に塗布することを特徴とするローション付きトイレットペーパー製造方法。
【発明の詳細な説明】
【技術分野】
【０００１】
本発明は、ローション付きトイレットペーパー及び当該ローション付きトイレットペーパー製造方法に関する。
【背景技術】
【０００２】
排便後など、肛門周辺部を清拭するために、トイレットペーパーが使用されているが、十分に清拭することができないと、肛門周辺部のかゆみ、かぶれ、ただれの原因になる。さらに肛門周辺部の疾患を有する場合は、症状を悪化させる原因にもなる。しかしながら、トイレットペーパーを使用しただけでは、肛門周辺部を十分に清拭することは困難である。
そこで、予め、油溶性のローションが含浸してあるトイレットペーパーが提案された（例えば、特許文献１）。
【特許文献１】特開平４−１５０２１公報
【発明の開示】
【発明が解決しようとする課題】
【０００３】
しかしながら、上述のようなトイレットペーパーは、含浸したローションが油溶性であるため、当該トイレットペーパーを手で持ったときにべたつき感があるという問題がある。さらに、ローションが油溶性であるため、トイレットペーパーを使用した際、手に付着したローションを水で簡単に洗い流すことができないという問題がある。
【０００４】
本発明の課題は、べたつき感が無く、手に付着したローションを水で簡単に洗い流すことができるローション付きトイレットペーパー及びローション付きトイレットペーパー製造方法を提供することにある。
【課題を解決するための手段】
【０００５】
上記課題を解決するために、請求項１に記載の発明は、ローション付きトイレットペーパーであって、原料パルプからなる紙基材に、脂肪酸エステル系界面活性剤、乳化剤、流動パラフィン、スクワランオイルを主成分とした水溶性のローションが塗布されていることを特徴とする。
【０００６】
請求項２に記載の発明は、請求項１に記載のローション付きトイレットペーパーであって、前記ローションの塗布量が、前記紙基材の重量の１０〜８０％であることを特徴とする。
【０００７】
請求項３に記載の発明は、請求項１又は２に記載のローション付きトイレットペーパーであって、前記紙基材の坪量が、１２〜２５ｇ／ｍ２であることを特徴とする。
【０００８】
請求項４に記載の発明は、請求項１〜３の何れか一項に記載のローション付きトイレットペーパーであって、表面の摩擦係数の平均偏差（ＭＭＤ値）が、７．０〜１２．０であることを特徴とする。
【０００９】
請求項５に記載の発明は、請求項１〜４の何れか一項に記載のローション付きトイレットペーパーであって、長手方向の乾燥引張強度が２〜４Ｎであり、且つ、短手方向の乾燥引張強度が０．５〜１．５Ｎであることを特徴とする。
【００１０】
請求項６に記載の発明は、請求項１〜５の何れか一項に記載のローション付きトイレットペーパーを製造するためのローション付きトイレットペーパー製造方法であって、前記ローションを、グラビア印刷又はフレキソ印刷の方法を用いて前記紙基材に塗布することを特徴とする。
【００１１】
請求項７に記載の発明は、請求項１〜５の何れか一項に記載のローション付きトイレットペーパーを製造するためのローション付きトイレットペーパー製造方法であって、前記ローションを、グラビア印刷の方法を用いて前記紙基材に塗布することを特徴とする。
【発明の効果】
【００１２】
請求項１に記載の発明によれば、ローション付きトイレットペーパーには、脂肪酸エステル系界面活性剤、乳化剤、流動パラフィン、スクワランオイルを主成分とした水溶性のローションが塗布されている。したがって、ローション付きトイレットペーパーの使用者は、ローション付きトイレットペーパーを手に持った際や使用した際などにべたつき感を感じることがなく、さらに、手に付着したローションを水で簡単に洗い流すことができることとなる。
【００１３】
請求項２に記載の発明によれば、請求項１に記載の発明と同様の効果が得られることは無論のこと、ローションの塗布量が、紙基材の重量の１０％以上であるため、紙基材にローションを塗布した効果を十分感じることができるという効果は、最低限、得られることとなる。さらに、肌触り（具体的には、例えば、滑らかさ、柔らかさ、しっとり感など）や、拭取り性の効果などの面において、通常のローションが塗布されていないトイレットペーパーとの違いを十分に発揮することができることとなる。
また、ローションの塗布量が、紙基材の重量の８０％以下であるため、ローション付きトイレットペーパーの強度を確保することができ、そして、ローション付きトイレットペーパーを安価に製造することができるという効果は、最低限、得られることとなる。さらに、べたつき感などの違和感が生じないため、ローション付きトイレットペーパーの使用者は、ローションを塗布したという利点のみを十分に感じることができることとなる。
【００１４】
請求項３に記載の発明によれば、請求項１又は２に記載の発明と同様の効果が得られることは無論のこと、紙基材の坪量が、１２ｇ／ｍ２以上であるため、紙基材が薄くなり過ぎることがない。したがって、裏抜けしにくく、吸収性も十分に確保することができることとなる。
また、紙基材の坪量が、２５ｇ／ｍ２以下であるため、紙基材が厚くなり過ぎることがない。したがって、ローション付きトイレットペーパー自体が硬くなったりすることがなく、トイレットペーパーとしての使用感の高さを十分に確保することができることとなる。
【００１５】
請求項４に記載の発明によれば、請求項１〜３の何れか一項に記載の発明と同様の効果が得られることは無論のこと、表面の摩擦係数の平均偏差（ＭＭＤ値）が、７．０以上であるため、紙力が大きく、破れにくいトイレットペーパーとなる。
また、ＭＭＤ値が１２．０以下であるため、滑らかさが大きく、トイレットペーパーとしての使用感を良好にすることができる。
【００１６】
請求項５に記載の発明によれば、請求項１〜４の何れか一項に記載の発明と同様の効果が得られることは無論のこと、長手方向の乾燥引張強度が２Ｎ以上であり、且つ、短手方向の乾燥引張強度が０．５Ｎ以上であるため、破れにくく、使い勝手の良いトイレットペーパーとなる。
また、長手方向の乾燥引張強度が４Ｎ以下であり、且つ、短手方向の乾燥引張強度が１．５Ｎ以下であるため、水解性が高く、商品価値の高いトイレットペーパーとなる。
【００１７】
請求項６に記載の発明によれば、グラビア印刷又はフレキソ印刷の方法を用いて、紙基材にローションを塗布するため、他の方式（例えば、スプレー塗布の方法など）に比べて、塗布効率が高く、紙基材に塗布するローションの量を多くすることができることとなる。
【００１８】
請求項７に記載の発明によれば、グラビア印刷の方法を用いて、紙基材にローションを塗布するため、他の方式（例えば、フレキソ印刷やスプレー塗布などの方法）に比べて、塗布効率がより一層高く、紙基材に塗布するローションの量をより一層多くすることができることとなる。
【発明を実施するための最良の形態】
【００１９】
以下、本発明を実施するための最良の形態を詳細に説明する。
本実施形態におけるローション付きトイレットペーパーは、紙基材に、ローションを塗布したものである。
【００２０】
[紙基材]
紙基材は、例えば、周知の湿式方法により製造されることとする。すなわち、紙基材は、原料から繊維（原料パルプ）の懸濁液である紙料を調整する紙料調整工程と、紙料から原料パルプを抄いて、繊維ウェブを形成し、当該形成した繊維ウェブを乾燥させる抄紙工程とによって製造される。
【００２１】
紙基材は、針葉樹クラフトパルプ（ＮＢＫＰ）、広葉樹クラフトパルプ（ＬＢＫＰ）のうち、少なくとも何れか一方が配合された原料パルプを原料としている。原料パルプには、具体的には、全配合量に対して、ＮＢＫＰが、０〜１００重量％、好ましくは２０〜８０重量％の割合で配合され、ＬＢＫＰが、０〜１００重量％、好ましくは２０〜８０重量％の割合で配合される。かかる範囲が好ましい理由は、ＮＢＫＰが２０重量％を下回り、ＬＢＫＰが８０重量％を上回ると、ＬＢＫＰの特徴が支配的となって、紙力が低下し、紙基材が破れやすくなるからである。一方、ＬＢＫＰが２０重量％を下回り、ＮＢＫＰが８０重量％を上回ると、ＮＢＫＰの特徴が支配的となって、紙力が増加し、紙基材が硬くなるからである。
【００２２】
ＮＢＫＰの原料である針葉樹は、広葉樹と比較して繊維長が２倍以上長い。そのため、ＮＢＫＰを配合することによって、繊維間の結合が強くなり、紙基材の強度（紙力）を上げることができる。
ＬＢＫＰの原料である広葉樹は、繊維長が短い。そのため、ＬＢＫＰを配合することによって、紙基材の表面は滑らかになり、地合を良くすることができる。
したがって、ＮＢＫＰとＬＢＫＰとの配合割合は、ローション付きトイレットペーパーが備えるべき特性に応じて、適宜設定すると好適である。すなわち、紙力を向上させたい場合には、ＮＢＫＰの配合割合を高め、滑らかさを向上させたい場合には、ＬＢＫＰの配合割合を高めると効果的である。
さらに、ＮＢＫＰとＬＢＫＰとの配合割合は、ローションの塗布量に応じて、適宜設定すると好適である。ローション付きトイレットペーパーは、ローションの塗布量が増加するほど、紙力が低下する。一方、ローション付きトイレットペーパーを使用した後に水で流すことができるよう、紙基材への湿潤紙力剤（紙力増強剤）の使用は控えられている。そのため、ローションの塗布量の増加に伴う紙力の低下を、ＮＢＫＰを配合することによって埋め合わせ、ＮＢＫＰの配合に伴う滑らかさの低下を、ＬＢＫＰを配合することによって埋め合わせると効果的である。
【００２３】
後述する実施例においては、ＮＢＫＰパルプとして、「グランドプレーリー（商品名）」、「ハーマック（商品名）」、「ヒントン（商品名）」を用いた。一方、ＬＰＫＰパルプとしては、「リアウ（商品名）」を用いた。
なお、原料パルプとしては、ＮＢＫＰやＬＢＫＰなどの化学パルプだけでなく、その他好適なパルプを用いることができる。具体的には、例えば、未晒しの針葉樹クラフトパルプ（ＮＵＫＰ）や、未晒しの広葉樹クラフトパルプ（ＬＵＫＰ）、古紙パルプ（ＤＩＰ）、非木材パルプ（例えば、ケナフ、マニラ麻、バガス、コットンリンターなど）、機械パルプ（例えば、サーモメカニカルパルプ：ＴＭＰ、ケミサーモメカニカルパルプ：ＣＴＭＰ、脱色ケミサーモメカニカルパルプ：ＢＣＴＭＰなど）などを用いることができる。そして、これらの配合割合は、未晒しの針葉樹クラフトパルプ（ＮＵＫＰ）においては、晒しの針葉樹クラフトパルプであるＮＢＫＰと同一の２０〜８０重量％が好ましい。未晒しの広葉樹クラフトパルプ（ＬＵＫＰ）においては、晒しの広葉樹クラフトパルプであるＬＢＫＰと同一の２０〜８０重量％が好ましい。また、古紙パルプ、非木材パルプ、機械パルプにおいては、ＬＢＫＰと同一の２０〜８０重量％が好ましい。
【００２４】
紙基材の坪量は、１０〜５０ｇ／ｍ２である。好ましくは、１２〜２５ｇ／ｍ２である。下限を１０ｇ／ｍ２と規定した理由は、坪量が１０ｇ／ｍ２を下回ると、抄紙工程の段階で、シートが薄くなり、穴があきやすくなるからである。さらに、吸収性性能についても発現しにくくなるからである。一方、上限を５０ｇ／ｍ２と規定した理由は、坪量が５０ｇ／ｍ２を上回ると、紙基材自体が硬くなり、紙基材表面のクレープも粗くなるため表面性が悪くなって、トイレットペーパーとしての使用感が低下するからである。さらに、紙基材の坪量の好ましい範囲を１２〜２５ｇ／ｍ２と規定した理由は、この範囲であれば、拭取り性や柔らかさなど、トイレットペーパーとしての品質を十分に発現することができるからである。
【００２５】
[ローション]
ローションは、脂肪酸エステル系界面活性剤、乳化剤、流動パラフィン、スクワランオイルを主成分としている。ローションには、具体的には、全配合量に対して、脂肪酸エステル系界面活性剤が５〜９０重量％、乳化剤が１〜４０重量％、流動パラフィンが５〜９０重量％、スクワランオイルが１〜５０重量％の割合で配合されている。好ましくは、脂肪酸エステル系界面活性剤が１０〜７０重量％、乳化剤が２〜２０重量％、流動パラフィンが２０〜７０重量％、スクワランオイルが２〜２５重量％の割合で配合されている。
【００２６】
脂肪酸エステル系界面活性剤は、優れたエモリエント効果（皮膚柔軟効果）を有している。したがって、脂肪酸エステル系界面活性剤の配合量が、５重量％を下回ると、滑らかな感触がなくなり、ローション付きトイレットペーパーが肌に張り付くような感触となってしまうため好適ではない。一方、脂肪酸エステル系界面活性剤の配合量が９０重量％を上回ると、ローション付きトイレットペーパー表面にべたつき感が生じてくるため好適ではない。さらに、脂肪酸エステル系界面活性剤の配合量の好ましい範囲を１０〜７０重量％と規定した理由は、この範囲であれば、ローション付きトイレットペーパー表面が十分な滑らかさを有し、且つ、べたつき感を感じさせることがないからである。
【００２７】
脂肪酸エステル系界面活性剤としては、具体的には、例えば、グリセリン脂肪酸エステル、プロピレングリコール脂肪酸エステル、ソルビタン脂肪酸エステル、ショ糖脂肪酸エステルなどが挙げられる。
後述する実施例においては、脂肪酸エステル系界面活性剤として、グリセリン脂肪酸エステルであるトリ（カプリル／カプリン酸）グリセリンを用いた。
【００２８】
乳化剤は、優れた乳化効果、分散効果、水溶解効果を有している。したがって、乳化剤の配合量が、１重量％を下回ると、ローション付きトイレットペーパーに柔らかさがなくなって、肌に柔軟性を与えることができなくなる。さらに、手に付いたローションを、水で洗い流すことができなくなって好適ではない。一方、乳化剤の配合量が、４０重量％を上回ると、べたつき感が生じてくるため好適ではない。さらに、乳化剤の配合量の好ましい範囲を２〜２０重量％と規定した理由は、この範囲であれば、肌に十分な柔軟性を与えることができ、且つ、べたつき感を感じさせることがなく、さらに、手に付いたローションを水で簡単に洗い流すことができるからである。
【００２９】
乳化剤としては、具体的には、例えば、水溶解性の高いポリエチレングリコール脂肪酸エステル系の乳化剤などが挙げられる。そして、ポリエチレングリコール脂肪酸エステル系の乳化剤としては、モノイソステアリン酸ポリオキシエチレングリセリルや、ジイソステアリン酸ポリオキシエチレングリセリル、トリイソステアリン酸ポリオキシエチレングリセリルなどが挙げられる。
後述する実施例においては、乳化剤として、トリイソステアリン酸ポリオキシエチレングリセリルを用いた。
【００３０】
流動パラフィンは、優れた拭取り効果を有している。したがって、流動パラフィンの配合量が、５重量％を下回ると、十分な拭取り効果が発現せず好適ではない。一方、流動パラフィンの配合量が９０重量％を上回ると、ローション付きトイレットペーパー表面の滑らかさがなくなってしまい好適ではない。さらに、流動パラフィンの配合量の好ましい範囲を２０〜７０重量％と規定した理由は、この範囲であれば、優れたエモリエント効果を有する脂肪酸エステル系界面活性剤と、優れた乳化効果、分散効果、水溶解性効果を有する乳化剤と併用することによって、高い拭取り効果と、良好な肌触りとを兼ね備えたローション付きトイレットペーパーを得ることができるからである。
なお、流動パラフィンの他に、その他好適なミネラルオイルを用いることができる。
【００３１】
スクワランオイルは、人間の皮膚に近い成分であり、浸透し易く、優れた柔軟効果を有している。したがって、スクワランオイルの配合量が、１重量％を下回ると、十分な柔軟効果が発現せず好適ではない。一方、スクワランオイルの配合量が、５０重量％を上回ると、べたつき感が生じるようになり、また、コストが高くなるため好適ではない。さらに、スクワランオイルの配合量の好ましい範囲を２〜２５重量％と規定した理由は、この範囲であれば、十分な柔軟効果を有し、且つ、べたつき感がなく、さらに、コストの面でも都合の良いローション付きトイレットペーパーを得ることができるからである。
なお、スクワランオイルの他に、その他好適な動物系オイル（例えば、馬油など）を用いることができる。さらに、植物性オイル（例えば、パーム油、ホホバオイル、ココナッツオイル、オリーブオイル、アーモンドオイル、スイートアーモンドオイル、マカデミアナッツオイル、小麦胚芽オイル（ウイートジャームオイル）、ローズヒップオイル、アボガドオイル、植物性スクワランオイル、ユーカリエキス、ビタミンＥなど）なども用いることができる。
【００３２】
[ローション付きトイレットペーパー]
ローション付きトイレットペーパーは、グラビア印刷又はフレキソ印刷の方法を用いて、紙基材にローションを塗布したものである。グラビア印刷又はフレキソ印刷の方法を用いると、紙基材に対するローションの塗布効率が高く、紙基材に塗布するローションの量を多くすることができる。
ローションを紙基材に塗布する方法としては、グラビア印刷又はフレキソ印刷だけでなく、例えば、スプレー塗布、ブレードコーター、バーコーターなどあらゆる方法を用いることができる。
後述する実施例においては、塗布効率がより高いグラビア印刷の方法を用いて、紙基材にローションを塗布したローション付きトイレットペーパーを使用した。
【００３３】
ローションの塗布量は、紙基材の重量に対して、３〜４００％、好ましくは１０〜８０％とした。下限を３％と規定した理由は、塗布量が３％を下回ると、紙基材にローションを塗布した効果が十分に確保できなくなるからである。一方、上限を４００％と規定した理由は、塗布量が４００重量％を上回ると、べたつき感などが生じて品質が低下するようになり、また、コストが嵩むこととなるからである。さらに、ローションの塗布量の好ましい範囲を、１０〜８０重量％と規定した理由は、この範囲であれば、品質、コストの面から、最も好ましいローション付きトイレットペーパーを得ることができるからである。
【００３４】
ローション付きトイレットペーパー表面の摩擦係数の平均偏差（ＭＭＤ値）は、７．０〜１２．０であることが望ましい。下限を７．０と規定した理由は、ＭＭＤ値が７．０を下回ると、紙力がなくなり、破れやすくなるからである。上限を１２．０と規定した理由は、ＭＭＤ値が１２．０を上回ると、滑らかさがなくなり、ローション付きトイレットペーパーとしての使用感が悪くなるからである。
【００３５】
ローション付きトイレットペーパーの水解性は、５〜８０秒である。好ましくは、１０〜４０秒である。下限を５秒と規定した理由は、水解性が５秒を下回ると、破れやすく、使い勝手の悪いトイレットペーパーとなるからである。一方、上限を８０秒と規定した理由は、水解性が８０秒を上回ると、ローション付きトイレットペーパーを水に流した際に、排水管に詰まったりして、トイレットペーパーとしての商品価値が低下することになるからである。さらに、水解性の好ましい範囲を１０〜４０秒と規定した理由は、この範囲であれば、使用時に破れることがなく、且つ、多量のローション付きトイレットペーパーを水に流したとしても排水管が詰まる心配がないからである。
なお、ローション付きトイレットペーパーの水解性の測定は、ＪＩＳ  Ｐ４５０１−１９９３法に基づいて行った。
【００３６】
ローション付きトイレットペーパーの乾燥引張強度は、長手方向において２〜４Ｎ、短手方向において０．５〜１．５Ｎである。ここで、トイレットペーパーはロール状に巻回されるため、短手方向の乾燥引張強度と比較して、長手方向の乾燥引張強度が大きい方が望ましい。下限を２Ｎ（長手方向の乾燥引張強度）、０．５Ｎ（短手方向の乾燥引張強度）と規定した理由は、長手方向の乾燥引張強度が２Ｎを下回ると、又は、短手方向の乾燥引張強度が０．５Ｎを下回ると、破れやすく、使い勝手の悪いトイレット−ペーパーとなるからである。一方、上限を４Ｎ（長手方向の乾燥引張強度）、１．５Ｎ（短手方向の乾燥引張強度）と規定した理由は、長手方向の乾燥引張強度が４Ｎを上回ると、又は、短手方向の乾燥引張強度が１．５Ｎを上回ると、ローション付きトイレットペーパーを水に流した際に、排水管に詰まったりして、トイレットペーパーとしての商品価値が低下することになるからである。
【００３７】
[実施例]
次に、上記に説明した本発明に係るローション付きトイレットペーパーの実施例を比較例とともに説明する。
【００３８】
[配合割合、坪量及び塗布量]
実施例１〜７のローション付きトイレットペーパーにおいて、紙基材におけるパルプ配合割合[重量％]及び坪量[ｇ／ｍ２]と、ローションにおける主成分配合割合[重量％]及び塗布量[％]を変化させた。各実施例の配合割合、坪量及び塗布量を表１に示した。
【表１】
2006149952.tif 000002
【００３９】
[特性評価方法]
各実施例のローション付きトイレットペーパーのＭＭＤ値[-]及び水解性[秒]を測定した。併せて、各実施例のローション付きトイレットペーパーを使用したときの官能評価も実施した。各項目の評価方法は下記のとおりである。
【００４０】
[ＭＭＤ値]
ＭＭＤ値の測定に使用した摩擦子は、直径０．５ｍｍのピアノ線を１０本隣接させてなり、長さ及び幅がともに５ｍｍとなるように形成された測定試料に対する接触面を有している。接触面には、先端が１０本のピアノ線（曲率半径０．２５ｍｍ）で形成された単位膨出部が形成されている。そして、摩擦子の接触面を所定方向に２０ｇ／ｃｍの張力が付与された測定試料の表面に対して５０ｇの接触圧で接触させながら、張力が付与された方向と略同じ方向に速度０．１ｃｍ／ｓで２ｃｍ移動させた。このときの摩擦係数を、摩擦感テスター  ＫＥＳ−ＳＥ（カトーテック株式会社製）を用いて測定し、その摩擦係数を摩擦距離（移動距離＝２ｃｍ）で除した値をＭＭＤ値とした。
[水解性]
ＪＩＳ  Ｐ４５０１−１９９３法に基づいて、ローション付きトイレットペーパーの水解性の測定を行った。
[官能評価]
肛門に痔症状などのトラブルを持つ１５人を対象にして評価を行った。具体的には、排便後、普通のトイレットペーパーで拭いてから、実施例１〜７のローション付きトイレットペーパーを仕上げ用として使った際の評価を行った。しっとり感、柔らかさ、滑らかさ、厚み感、丈夫さ、風合い、拭取り性、手に残るローションのべたつき感の八項目について、「○」：たいへん良い、「△」：良い、「×」：悪いの三段階で評価した。
上記した各測定方法によって得た結果を表２に示した。
【表２】
2006149952.tif 000003
【００４１】
[比較例]
[配合割合、坪量及び塗布量]
比較例１は、紙基材のみのトイレットペーパーであり、ローションが塗布されていない。なお、比較例１のトイレットペーパーの紙基材は、実施例３〜７のローション付きトイレットペーパーの紙基材と同一である。
比較例１のトイレットペーパーにおいて、紙基材におけるパルプ配合割合[重量％]及び坪量[ｇ／ｍ２]を表１に示した。
比較例２は、従来のローション付きトイレットペーパーである。比較例２のローション付きトイレットペーパーの紙基材は、ＬＢＫＰパルプである「ユカリ（商品名）」と、その他何らかの原料パルプとを原料としている。「ユカリ（商品名）」以外の原料パルプについては、具体的な商品名や配合割合などが不明である。比較例２のローション付きトイレットペーパーに塗布されたローションは、メチルポリシロキサンが含まれており、脂肪酸エステル系界面活性剤及び乳化剤が含まれていない。
比較例２のローション付きトイレットペーパーにおいて、紙基材におけるパルプ配合割合[重量％]及び坪量[ｇ／ｍ２]と、ローションにおける主成分配合割合[重量％]及び塗布量[％]を表１に示した。
【００４２】
[特性評価方法]
比較例１のトイレットペーパーと、比較例２のローション付きトイレットペーパーとのＭＭＤ値[-]及び水解性[秒]を測定した。併せて、比較例１のトイレットペーパーと、比較例２のローション付きトイレットペーパーを使用したときの官能評価も実施した。各項目の評価方法は、実施例の評価方法と同一である。
【００４３】
[評価]
次いで、各項目についての評価を行った。
【００４４】
[ＭＭＤ値]
実施例の中では、実施例２のＭＭＤ値（１１．２０）が最も高かった。また、実施例２のＭＭＤ値は、比較例１のＭＭＤ値（１２．４６）よりも低く、比較例２のＭＭＤ値（１１．１０）よりも高かった。
実施例２のローションの塗布量は「３０％」であり、実施例２以外の実施例（実施例１，３〜７）のローションの塗布量は「６０％」である。また、比較例１はローションを塗布していないトイレットペーパーであり、比較例２のローションの塗布量は「６０％」である。これにより、ローションの塗布量が小さいと、ＭＭＤ値が高くなり、滑らかさが低下することが分かった。
【００４５】
[水解性]
実施例の中では、実施例７の水解性（４７秒）が最も低かった。また、実施例７の水解性は、比較例１の水解性（２５秒）よりも低く、比較例２の水解性（４８秒）と同程度であった。
実施例７のローション中の乳化剤配合割合は「２重量％」であり、実施例７以外の実施例（実施例１〜６）のローション中の乳化剤配合割合は「５重量％」以上である。また、比較例１はローションを塗布していないトイレットペーパーであり、比較例２のローションには乳化剤が配合されていない。これにより、ローション中の乳化剤配合割合が小さいと、水解性が低下する、すなわち、水に溶けにくくなることが分かった。
【００４６】
[官能評価]
しっとり感は、実施例１〜７の全てにおいて、「○」となり、たいへん良い評価が得られた。また、比較例１のしっとり感は「×」であり、比較例２のしっとり感は「○」であった。
実施例１〜７及び比較例２は、ローション付きトイレットペーパーであり、比較例１は、ローションを塗布していないトイレットペーパーである。これにより、紙基材にローションを塗布すると、しっとり感が増すことが分かった。
【００４７】
柔らかさは、実施例の中では、実施例７が最も低く、「△」であり、その他の実施例（実施例１〜６）においては「○」であった。また、比較例１の柔らかさは「×」であり、比較例２の柔らかさは「△」であった。
実施例７のローション中の乳化剤配合割合は「２重量％」であり、実施例７以外の実施例（実施例１〜６）のローション中の乳化剤配合割合は「５重量％」以上である。また、比較例１はローションを塗布していないトイレットペーパーであり、比較例２のローションには乳化剤が配合されていない。これにより、ローション中の乳化剤配合割合が小さいと、柔らかさが低下することが分かった。
【００４８】
滑らかさは、実施例の中では、実施例１、２、５がより低く、「△」であり、実施例３、４、６、７がより高く、「○」であった。また、比較例１の滑らかさは「×」であり、比較例２の滑らかさは「△」であった。
実施例１と実施例３とでは、原料パルプであるＮＢＫＰの商品名が異なる。具体的には、実施例１のＮＢＫＰには、「グランドプレーリー（商品名）」と「ハーマック（商品名）」とが使用されており、実施例３のＮＢＫＰには、「ヒントン（商品名）」と「ハーマック（商品名）」とが使用されている。このことから、「グランドプレーリー（商品名）」、「ハーマック（商品名）」の組み合わせよりも、「ヒントン（商品名）」、「ハーマック（商品名）」の組み合わせを用いた方が、滑らかなローション付きトイレットペーパーを得ることができることが分かった。
実施例２においては、実施例１と同一の商品名のＮＢＫＰを使用しているため、滑らかさが、実施例１の滑らかさと同程度（「△」）になったと考えられる。
実施例４と実施例５とでは、ローション中の乳化剤の配合割合と流動パラフィンの配合割合が異なる。具体的には、実施例４のローション中の乳化剤配合割合は「１０重量％」、流動パラフィン配合割合は「２５重量％」であり、実施例５のローション中の乳化剤配合割合は「５重量％」、流動パラフィン配合割合は「３０重量％」である。より具体的には、ローション中の乳化剤配合割合は、実施例４がより高く、実施例５がより低い。このことから、ローション中の乳化剤配合割合が低いと、滑らかさが低下することが分かった。
実施例５と実施例６とでは、紙基材の坪量が異なる。具体的には、実施例５の紙基材の坪量は「１５ｇ／ｍ２」であり、実施例６の紙基材の坪量は「１２ｇ／ｍ２」である。このことから、紙基材の坪量が大きいと、滑らかさが低下することが分かった。
【００４９】
厚み感は、実施例１〜７の全てにおいて、「○」となり、たいへん良い評価が得られた。また、比較例１の厚み感は「○」であり、比較例２の厚み感は「△」であった。
【００５０】
丈夫さは、実施例の中では、実施例１が最も低く、「△」であり、その他の実施例（実施例２〜７）においては「○」であった。また、比較例１の丈夫さは「○」であり、比較例２の丈夫さは「△」であった。
実施例１と実施例２とでは、ローションの塗布量が異なる。具体的には、実施例１のローションの塗布量は「６０％」であり、実施例２のローションの塗布量は「３０％」である。このことから、ローションの塗布量が高いと、丈夫さが低下することが分かった。
実施例１と実施例３とでは、原料パルプであるＮＢＫＰの商品名が異なる。具体的には、実施例１のＮＢＫＰには、「グランドプレーリー（商品名）」と「ハーマック（商品名）」とが使用されており、実施例３のＮＢＫＰには、「ヒントン（商品名）」と「ハーマック（商品名）」とが使用されている。このことから、「グランドプレーリー（商品名）」、「ハーマック（商品名）」の組み合わせよりも、「ヒントン（商品名）」、「ハーマック（商品名）」の組み合わせを用いた方が、丈夫なローション付きトイレットペーパーを得ることができることが分かった。
【００５１】
風合いは、実施例の中では、実施例２が最も低く、「△」であり、その他の実施例（実施例１，３〜７）においては「○」であった。また、比較例１の風合いは「×」であり、比較例２の風合いは「△」であった。
実施例２のローションの塗布量は「３０％」であり、実施例２以外の実施例（実施例１，３〜７）のローションの塗布量は「６０％」である。また、比較例１はローションを塗布していないトイレットペーパーであり、比較例２のローションの塗布量は「６０％」である。これにより、ローションの塗布量が小さいと、風合いが低下することが分かった。
【００５２】
拭取り性は、実施例１〜７の全てにおいて、「○」となり、たいへん良い評価が得られた。また、比較例１の拭取り性は「×」であり、比較例２の拭取り性は「○」であった。
実施例１〜７及び比較例２は、ローション付きトイレットペーパーであり、比較例１は、ローションを塗布していないトイレットペーパーである。これにより、紙基材にローションを塗布すると、拭取り性が増すことが分かった。
【００５３】
手に残るローションのべたつき感は、実施例の中では、実施例７が最も低く、「△」であり、その他の実施例（実施例１〜６）においては「○」であった。また、比較例１の手に残るローションのべたつき感は「○」であり、比較例２の手に残るローションのべたつき感は「×」であった。
実施例７のローション中の乳化剤配合割合は「２重量％」であり、実施例８以外の実施例（実施例１〜６）のローション中の乳化剤配合割合は「５重量％」以上である。また、比較例２のローションには乳化剤が配合されていない。これにより、ローション中の乳化剤配合割合が小さいと、手に残るローションのべたつき感が増すことが分かった。さらに、比較例２においては、より一層、手に残るローションのべたつき感が増す。これは、ローションにメチルポリシロキサンが配合されていることが原因であると考えられる。
【００５４】
以上説明した本発明のローション付きトイレットペーパーによれば、ローション付きトイレットペーパーには、脂肪酸エステル系界面活性剤、乳化剤流動パラフィン、スクワランオイルを主成分とした水溶性のローションが塗布されている。したがって、ローション付きトイレットペーパーの使用者は、ローション付きトイレットペーパーを手に持った際や使用した際などにべたつき感を感じることがなく、さらに、手に付着したローションを水で簡単に洗い流すことができることとなる。
【００５５】
また、ローションの塗布量が、紙基材の重量の１０％以上であるため、紙基材にローションを塗布した効果を十分感じることができる。さらに、肌触り（具体的には、例えば、滑らかさ、柔らかさ、しっとり感など）や、拭取り性の効果などの面において、通常のローションが塗布されていないトイレットペーパーとの違いを十分に発揮することができることとなる。
さらに、ローションの塗布量が、紙基材の重量の８０％以下であるため、ローション付きトイレットペーパーの強度を十分に確保することができ、そして、ローション付きトイレットペーパーを安価に製造することができる。さらに、べたつき感などの違和感が生じないため、ローション付きトイレットペーパーの使用者は、ローションを塗布したという利点のみを十分に感じることができることとなる。
【００５６】
また、紙基材の坪量が、１２ｇ／ｍ２以上であるため、紙基材が薄くなり過ぎることがない。したがって、裏抜けしにくく、吸収性も十分に確保することができることとなる。
さらに、紙基材の坪量が、２５ｇ／ｍ２以下であるため、紙基材が厚くなり過ぎることがない。したがって、ローション付きトイレットペーパー自体が硬くなったりすることがなく、トイレットペーパーとしての使用感の高さを十分に確保することができることとなる。
【００５７】
そして、表面の摩擦係数の平均偏差（ＭＭＤ値）が、７．０以上であるため、紙力が大きく、破れにくいトイレットペーパーとなる。
また、ＭＭＤ値が１２．０以下であるため、滑らかさが大きく、トイレットペーパーとしての使用感を良好にすることができる。
【００５８】
さらに、長手方向の乾燥引張強度が２Ｎ以上であり、且つ、短手方向の乾燥引張強度が０．５Ｎ以上であるため、破れにくく、使い勝手の良いトイレットペーパーとなる。
また、長手方向の乾燥引張強度が４Ｎ以下であり、且つ、短手方向の乾燥引張強度が１．５Ｎ以下であるため、水解性が高く、商品価値の高いトイレットペーパーとなる。
【００５９】
さらに、グラビア印刷の方法を用いて、紙基材にローションを塗布するため、他の方式（例えば、フレキソ印刷やスプレー塗布の方法など）に比べて、塗布効率がより一層高く、紙基材に塗布するローションの量をより一層多くすることができることとなる。